【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
使用時に痛みの知覚を緩和させるため治療部付近又は傷口付近の肌に刺激を生じさせるための肌刺激装置であって、前記肌刺激装置は、
前記肌に接触させる第一の凸凹面及び第二の凸凹面（３０、３６）と、
前記刺激を生じさせるために前記凸凹面の一方を他方に対して移動させるための移動機構（１８、４４，４６）と、を具備する肌刺激装置。
【請求項２】
本体（１０）と、
使用者の肌を穿通するために前記本体に設置された穿通要素（２２）と、
使用時に痛みの知覚を緩和するため穿通対象部付近の前記肌に刺激を生じさせる肌刺激機構と、を具備する肌穿通装置において、
前記肌刺激機構が、前記肌に接触させる第一の凸凹面及び第二の凸凹面（３０、３６）と、少なくとも前記凸凹面のうち一方を他方に対して移動させ、それによって、前記刺激を生じさせる移動機構（１８、４４、４６）と、を具備することを特徴とする肌穿通装置。
【請求項３】
前記移動機構（１８、４４、４６）は、前記凸凹面の一方（３６）を、他方の前記凸凹面（３０）が固定されたままで移動させるように適合されている請求項２に記載の肌穿通装置。
【請求項４】
前記移動機構（１８、４４、４６）は、前記一方の凸凹面（３６）を、使用時に概して前記肌に向かう方向において前記他方の凸凹面（３０）に対して長手方向に移動させる請求項３に記載の肌穿通装置。
【請求項５】
前記移動機構（１８、４４、４６）が、使用時に前記穿通要素の穿通ストロークの初期部分の間及び前記穿通要素の前記穿通ストロークの後期にむかって、前記一方の凸凹面により強い衝動を与えて前記肌に対して押し込むように、前記肌に対して前記凸凹面を刺激するように設計された請求項４に記載の肌穿通装置。
【請求項６】
ストロークの間前記穿通要素（２２）を移動させるための駆動手段（１２）を有し、前記穿通要素又は穿通移動の間共に移動する要素（４４）が、前記一方の凸凹面に伝達される衝突を生じさせ、それによって前記衝動を与えるように適合された請求項５に記載の肌穿通装置。
【請求項７】
前記移動機構（１８、４４、４６）が、前記穿通要素及び前記一方の凸凹面を関連させる変位手段（４０）、又は、前記穿通要素及び前記一方の凸凹面間で駆動する変位手段（４０）を有する請求項５又は請求項６に記載の肌穿通装置。
【請求項８】
前記移動機構（１８、４４、４６）が、使用時に少なくとも一方の前記凸凹面（３６）を前記肌に対して略平行な平面内で移動させる請求項２又は請求項３に記載の肌穿通装置。
【請求項９】
前記第一の凸凹面及び第二の凸凹面（３０、３６）の相対運動は、前記平面に対して略垂直な軸線周りの回転である請求項２、請求項３又は請求項８のいずれか一つに記載の肌穿通装置。
【請求項１０】
前記第一の凸凹面及び第二の凸凹面（３０、３６）は略円環形状であり、且つ、前記穿通対象部に対して略同軸上に配置された請求項２から請求項９のいずれか一つに記載の肌穿通装置。
【請求項１１】
本体（１０；１１０）と、
使用者の肌を穿刺するために前記本体に設置された穿通要素（２２；１２２）と、
使用時に痛みの知覚を緩和させるために穿通対象部付近の前記肌に刺激を生じさせるための肌刺激機構とを具備する肌穿通装置において、
前記肌刺激機構が、前記肌に接触させるための一つの凸凹面（３６；１３８）と、前記凸凹面及び前記本体の相対的な回転移動を生じさせ、それによって前記刺激を生じさせる移動機構（１１８、１５８、１５９、１６０）と、を具備する肌穿通装置。
【請求項１２】
前記移動機構が、使用時に前記凸凹面（３６）を前記肌に対して略垂直な軸線周りに回転させる請求項１１に記載の肌穿通装置。
【請求項１３】
前記移動機構（１１８、１５８、１５９、１６０）が、前記一つの凸凹面を回転させるために貯蓄エネルギー装置（１６０）を有する請求項９から請求項１２のいずれか一つに記載の肌穿通装置。
【請求項１４】
前記貯蓄エネルギー装置（１６０）がコイルばねである請求項１３に記載の肌穿通装置。
【請求項１５】
前記移動機構（１１８、１５８、１５９、１６０）が手動で前記貯蓄エネルギー装置（１６０）にエネルギー貯蓄する手段（１５２）を有する請求項１３又は請求項１４に記載の肌穿通装置。
【請求項１６】
前記移動機構（１１８、１５８、１５９、１６０）が、使用時に前記肌と接触させるために最初に前記一つの凸凹面（１３８）を前方に動かし、その後に前記一つの凸凹面を回転させるように適合された請求項１１から請求項１５のいずれか一つに記載の肌穿通装置。
【請求項１７】
前記移動機構（１１８、１５８、１５９、１６０）が、前記貯蓄エネルギー装置（１６０）にエネルギーが貯蓄されると前記一つの凸凹面（１３８）を回転に抗して固定するためのラッチ機構（１５０、１５６）を有し、前記ラッチ機構は前記一つの凸凹面の前記前方への移動によって解放される、請求項１３に従属する場合の請求項１６に記載の肌穿通装置。
【請求項１８】
前記穿通要素（２２；１２２）が、穿通を行うために前記穿通要素を前方に移動させるための駆動機構を有し、前記駆動機構が、前記穿通要素及び前記一つの凸凹面間に直線回転伝達機構（２７４、２７６）を具備し、それによって使用時に前記穿通要素の直線移動が前記一つの凸凹面の回転移動を伴う請求項９から請求項１２のいずれか一つに記載の肌穿通装置。
【請求項１９】
前記直線回転伝達機構が、前記穿通要素（１２２）及び前記一つの凸凹面（１３８）の一方と関連するカム要素（２７６）と、他方と関連するカム面（２７４）とを具備する請求項１８に記載の肌穿通装置。
【請求項２０】
前記カム要素（２７６）が前記穿通要素（１２２）に連結し、且つ、前記カム面（２７４）が前記一つの凸凹面（１３８）に連結した請求項１９に記載の肌穿通装置。
【請求項２１】
前記穿通要素（１２２）が、長手方向に前記穿通要素と共に移動するホルダー（２１８）によって運ばれるが、回転移動に対して拘束され、前記カム要素（２７６）が前記ホルダーと一体成形された請求項２０に記載の肌穿通装置。
【請求項２２】
前記回転移動が一方向である請求項９又は請求項１１から請求項２１までのいずれか一つに記載の肌穿通装置。
【請求項２３】
前記回転移動が振動式である請求項９又は請求項１１から請求項２１までのいずれか一つに記載の肌穿通装置。
【請求項２４】
前記凸凹面又は少なくとも一つの前記凸凹面に振動を伝えるための振動機構（１７０、１７２；２７６、２８０）を有する請求項２から２３までのいずれか一つに記載の肌穿通装置。
【請求項２５】
前記振動機構（１７０、１７２；２７６、２８０）が、前記凸凹面の前記移動に応じて機械的に振動を発生させる請求項２４に記載の肌穿通装置。
【請求項２６】
前記本体及び前記凸凹面の一方を、他方に設けられた遮断通路（１７０、２７６）と協働して関連さる台部（１７２、２８０）を有し、それによって前記凸凹面の移動が前記台部を前記遮断通路に沿って移動させて振動を伝える請求項２５に記載の肌穿通装置。
【請求項２７】
前記台部が前記凸凹面と関連させた弾性部材を具備する請求項２６に記載の肌穿通装置。
【請求項２８】
本体、（３１０）と、
使用時に使用者の肌を穿通する穿通ポジションに移動させるために前記本体に設置された穿通要素（３２２）と、
使用時に痛みの知覚を緩和するために穿通対象部付近の前記肌に刺激を生じさせる肌刺激機構とを具備し、
前記穿通要素が鋭利な突端を備える長手方向遠位部（３２２）を有し、前記穿通移動が長手方向である肌穿通装置において、
前記肌刺激機構が、前記突端が間隙を有して通過可能な開口部（３８４）を有するノーズ部（３８２）を具備し、前記ノーズ部が前記穿通対象部近傍の前記肌と端部接触するために前方に面した縁部を有し、それによって前記刺激を生じさせることを特徴とする肌穿通装置。
【請求項２９】
前記ノーズ部（３８２）が前記穿通要素の前記突端を密接包囲して延在するチューブ状の口先領域を有する請求項２８に記載の肌穿通装置。
【請求項３０】
前記前方に面した縁部の壁の厚さが前記開口部の平均横寸法より小さい請求項２９に記載の肌穿通装置。
【請求項３１】
使用時に前記穿通要素の前方移動の際前記肌に向かって前記前方に面した縁部を移動させる機構を有する請求項２８から請求項３０のいずれか一つに記載の肌穿通装置。
【請求項３２】
前記本体が、更に肌に刺激を与えるために前記肌に接触させる凸凹面（４３２）を有する請求項２８から請求項３１のいずれか一つに記載の肌穿通装置。
【請求項３３】
前記ノーズ部（３８２）が前記本体に対して前記凸凹面の後方に位置する使用前ポジションから前記凸凹面と並んで又はより前方の前方ポジションへと移動可能に設置され、且つ前記装置は前記ノーズ部を前記穿通移動の前に又は前記穿通移動の間に前方へ移動させるための移動機構（４１８）を更に有する請求項３２に記載の肌穿通装置。
【請求項３４】
前記凸凹面が、複数の突起部が延在する底が略平らな面を有する請求項２から請求項３３のいずれか一つに記載の肌穿通装置。
【請求項３５】
前記突起部が、１つ又はそれ以上の円錐形、シリンダー形、丸みを帯びた形状、三角形及び鋸歯形状の突起部を具備する請求項３４に記載の肌穿通装置。
【請求項３６】
前記凸凹面が、溝又は解放部を有する底が略平らな面を具備する請求項２から請求項３３のいずれか１つに記載の肌穿通装置。
【請求項３７】
前記穿通要素が注射を行うために前記肌に挿入されるシリンジの針を具備する請求項２から請求項２６のいずれか一つに記載の肌穿通装置。
【請求項３８】
前記穿通要素が、前記肌を切開によって穿刺する穿刺刃部を具備する請求項２から請求項３６のいずれか一つに記載の肌刺激装置。
【請求項３９】
前記穿通要素が内在装置の針を具備する請求項２から請求項３６のいずれか一つに記載の肌刺激装置。
【請求項４０】
痛みの知覚を緩和するために治療部付近の肌に刺激を生じさせる方法であって、第一の凸凹面及び第二の凸凹面で前記肌と接触し、前記凸凹面のうちの一方を他方に対して移動させる手段を含む方法。
【請求項４１】
前記凸凹面の一方が、他方の凸凹面が移動する間、固定されている請求項４０に記載の方法。
【請求項４２】
前記肌が前記第一の凸凹面及び第二の凸凹面と順次的に接触する手段を具備する請求項４０又は請求項４１に記載の方法。
【請求項４３】
前記第一の凸凹面及び第二の凸凹面の少なくとも一方が、概して前記肌に対する軸線に沿って長手方向に移動させられる請求項４０から請求項４２のいずれか一つに記載の方法。
【請求項４４】
前記第一の凸凹面及び第二の凸凹面の少なくとも一方が概して前記肌の上の平面を移動させられる請求項４０から請求項４３のうちいずれか一つに記載の方法。
【請求項４５】
前記少なくとも一方の凸凹面は、前記肌に対して略垂直な軸線周りに回転方向に移動させられる請求項４４に記載の方法。